(57)【特許請求の範囲】
【請求項１】
机等の天板の下方に設けられる配線ダクト構造であって、
前記天板の下方の机の適所と配線ダクトとの間に、配線ダクトをほぼ水平状態に保持して上下方向に移動可能に支持するとともに、この配線ダクトを上下方向の複数位置において停止可能な上下位置調整手段を設けたことを特徴とする机等における配線ダクト構造。
【請求項２】
上下位置調整手段を、配線ダクトの長手方向の両端部に設けた請求項１に記載の机等における配線ダクト構造。
【請求項３】
上下位置調整手段を、机の両内側面に設けられた、上下方向に複数の係止凹溝を有するダクト支持体と、配線ダクトの両側端に取付けられ前記係止凹溝に弾性係合する突部を有する移動体と、を備えてなるものとした請求項１または２に記載の机等における配線ダクト構造。
【請求項４】
ダクト支持体を、内面に係止凹溝を有するコ字状断面とし、このコ字空間内において移動体の突部が係止凹溝と弾性係合するようにした請求項３に記載の机等における配線ダクト構造。
【請求項５】
突部を、付勢手段により係止凹溝側に向かって移動可能とするとともに、移動体における突部と反対側の端面が、ダクト支持体における係止凹溝と対向する内側面に圧接するようにした請求項３または４に記載の机等における配線ダクト構造。
【請求項６】
上下位置調整手段を、机の両内側面に設けられた、一部に開口部を有する支持体と、配線ダクトの両側端に取付けられ、前記開口部より出没可能な帯状の吊支板と、この吊支板の表面に設けられた複数の係止突条を、前記開口部付近において係止可能な係止手段とを備えてなるものとした請求項１に記載の机等における配線ダクト構造。
【発明の詳細な説明】
【０００１】
【発明の属する技術分野】
本発明は、机等の天板下に設けられる配線ダクト構造に係り、特に、上下に移動可能とした配線ダクト構造に関する。
【０００２】
【従来の技術】
机上のＯＡ機器等よりコード類を配線する際、その余長コード類を天板の下方に収納する従来の配線ダクト構造としては、例えば特許第２６３９７７９号公報及び実公平７−９８１号公報に記載されているものがある。
【０００３】
【発明の解決しようとしている課題】
上記前者の配線ダクト構造は、ダクト本体が天板の下面の補強杆に着脱可能に取付けられ、上下方向に移動し得ない構造となっているため、配線時の作業性にやや難がある。
【０００４】
一方、後者の配線ダクト構造は、後端部寄りに上下に折曲可能なヒンジ部を備えるダクト本体の後端を、幕板に止着するとともに、前端部の係止片を天板の下面の補強杆に着脱可能として係合し、コード類をダクト内に収納する際は、ダクト本体をヒンジ部を中心として下向きに傾斜回動させて行うようになっている。
【０００５】
そのため、コード類を追加収納したり、コード類の一部を取出すべく不用意にダクト本体を下向きに傾斜させると、既に収納されているコード類がダクトより落下することがある。
【０００６】
本発明は、上記問題点を解決するためになされたもので、配線ダクトを傾斜させることなく上下方向に移動可能とすることにより、配線作業が容易で、かつコード類の落下も防止しうるようにした机等における配線ダクト構造を提供することを目的としている。
【０００７】
【課題を解決するための手段】
上記目的を達成するために、本発明の配線ダクト構造は、机等の天板の下方に設けられる配線ダクト構造であって、
前記天板の下方の机の適所と配線ダクトとの間に、配線ダクトをほぼ水平状態に保持して上下方向に移動可能に支持するとともに、配線ダクトを上下方向の複数位置において停止可能な上下位置調整手段を設けたことを特徴としている。
上記構成の本発明によると、配線ダクトを、上下位置調整手段により水平状態で上下動させることができるので、余長コード類の配線や収納作業等を容易に行うことができ、かつコード類を落下させることもない。
【０００８】
上記配線ダクト構造において、上下位置調整手段を、配線ダクトの長手方向の両端部に設けるのが好ましい。
このようにすると、配線ダクトを所定位置で安定的に保持することができる。
【０００９】
上記配線ダクト構造において、上下位置調整手段を、机の両内側面に設けられた、上下方向に複数の係止凹溝を有するダクト支持体と、配線ダクトの両側端に取付けられ、前記係止凹溝に弾性係合する突部を有する移動体とを備えてなるものとするのが好ましい。
このようにすると、配線ダクトを手で上下方向に押動するだけで、突部が係止凹溝より離脱して他の凹溝に自動的に係合するので、配線ダクトの高さを容易に調整することができる。
【００１０】
上記配線ダクト構造において、ダクト支持体を、内面に係止凹溝を有するコ字状断面とし、このコ字空間内において移動体の突部が係止凹溝と弾性係合するようにするのが好ましい。
このようにすると、移動体は、ダクト支持体にガイドされて安定的に上下動することができる。
【００１１】
上記配線ダクト構造において、突部を、付勢手段により係止凹溝側に向かって移動可能とするとともに、移動体における突部と反対側の端面が、ダクト支持体における係止凹溝と対向する内側面に圧接するようにするのが好ましい。
このようにすると、上述と同様、配線ダクトの高さ調整が容易となるとともに、突部と反対側の端面がダクト支持体の内側面に常時圧接しているので、配線ダクトはがたなく安定的に保持される。
【００１２】
上記配線ダクト構造において、上下位置調整手段を、机の両内側面に設けられた、一部に開口部を有する支持体と、配線ダクトの両側端に取付けられ、前記開口部より出没可能な帯状の吊支板と、この吊支板の表面に設けられた複数の係止突条を、前記開口部付近において係止可能な係止手段とを備えてなるものとするのが好ましい。
このようにすると、吊支板を上下方向に押動するだけで、所定位置の係止突条を開口部付近に係止しうるので、配線ダクトの高さ調整を容易に行うことができる。
【００１３】
【発明の実施の態様】
以下、本発明の実施例を図面に基づいて説明する。
【００１４】
図１は、本発明の第１実施例を適用した机の中央縦断左側面図（以下、方向は図１の左方を前として説明する）を示すもので、１は水平をなす左右一対のベース脚、２は、ベース脚１上に立設された左右一対の脚板、３は、左右の脚板２間に取付けられた幕板である。
【００１５】
左右の脚板２及び幕板３上には、天板４が載置されている。
【００１６】
左右の脚板２の後端上部の内側面には、図２及び図３に示すように、平面視内向きコ字形をなすダクト支持体５が、その後面が幕板３の前面と当接するようにしてねじ止めされている。ダクト支持体５における後部側の垂直片５ａの内側には、側方を向く複数の係止凹溝６が、上下方向に等間隔おきに形成されている。係止凹溝６を挟む上下の突部は、円弧状の湾曲面としてある。
【００１７】
７は、縦断面形が概ねＪ字形をなす配線ダクトで、左右長は左右の脚板２間の寸法より若干短寸となっている。
【００１８】
配線ダクト７における後部側の垂直基片７ａの両側端面には、前向きコ字形の移動ブラケット８における内方の取付片８ａの前端部が、垂直基片７ａの上下部に形成した厚肉部７ｂにビス９を螺挿することにより、配線ダクト７が移動ブラケット８の前方に位置するように固定されている。
【００１９】
移動ブラケット８における後面板８ｂの中間部に連設された摺動片８ｃと、最外方の摺動片８ｄとの前後方向の寸法は、上記ダクト支持体５のコ字空間内を、上下に余裕をもって移動しうる長さとしてある。後面板８ｂの上下の端部には、後方を向く半球状の係止突部１０が、両摺動片８ｃ、８ｄ間の中央部に位置するように突設されている。
【００２０】
上記両係止突部１０は、ダクト支持体５における各凹溝６内に突入して係止しうる大きさとしてある。なお、係止突部１０は、移動ブラケット８全体を合成樹脂により成形することにより、一体的に形成されている。
【００２１】
両摺動片８ｃ、８ｄ間には、中央部が前方に向かって円弧状に湾曲する板ばね１１の上端部が、後面板８ｂの上端部前面にビス９をもって固定することにより、湾曲部の前端部が両摺動片８ｃ、８ｄの前端よりも若干前方に突出するようにして設けられている。
【００２２】
板ばね１１の下端部は、後面板８ｂの前面に当接している。
【００２３】
移動ブラケット８の両摺動片８ｃ、８ｄを、ダクト支持体５内に、板ばね１１を後方に弾性変形させながら上方より挿入すると、図３に示すように、板ばね１１の湾曲部がダクト支持体５の前部側の垂直片５ｂの内面に圧接することにより、移動ブラケット８全体は後方に押圧され、係止突部１０が凹溝６内に弾性的に係合することにより、移動ブラケット８、及びこれに取付けられた配線ダクト７の上下方向に移動が防止される。
【００２４】
配線ダクト７を上下方向に移動する際は、移動ブラケット８又は配線ダクト７を手で持って、若干強めに上下に押動すれば、板ばね１１を後方に弾性変形させつつ、係止突部１０がそれまで係合していた凹溝６より離脱し、それに隣接した上下いずれかの凹溝６に自動的、かつ弾性的に係合するため、上下方向の移動は極めて容易に行うことができる。
【００２５】
従って、天板４上に載置したＯＡ機器等の余長コード類Ｃなどを配線ダクト７に収納する際は、これを最下位まで移動させて行いうるので、配線や収納作業が容易となる。
【００２６】
また、収納後に配線ダクト７を最上位まで移動させておくことにより、足元に大きな空間が確保され、机使用時の邪魔になることはない。
【００２７】
さらに、配線ダクト７は、水平状態で上下動しうるので、コード類Ｃを追加して収納したり、配線作業を再度行うべく、配線ダクト７を不用意に下方に移動させても、既に収納されているコード類Ｃがダクト７内より落下する恐れはない。
【００２８】
図４は、移動ブラケットの変形例を示すもので、この実施例の移動ブラケット１２は、上記係止突部１０の代わりに、上下一対の可動突子１３を設け、板ばね１１を廃止している。
【００２９】
すなわち、上記実施例と同形をなす移動ブラケット１２における後面板１２ａの上下の端部に、半球状の係止突部１４を後端に有するピン１５を、前後方向に摺動可能として、かつ前端の鍔部１５ａにより後方への抜け止めを図って設け、さらに、係止突部１４と後面板１２ａとの間に、圧縮コイルばね１６を縮設して、可動突子１３全体を常時後方に向かって付勢するようにしてある。
【００３０】
移動ブラケット１２の両摺動片１２ｂの前端は、ダクト支持体５における前部側の垂直片５ｂの内面に圧接するようにしてある。
【００３１】
この実施例の移動ブラケット１２を使用しても、両可動突子１３が圧縮コイルばね１６の付勢力に抗して前後方向に移動し、いずれかの凹溝６と係合するので、配線ダクト７の上下の移動は容易となる。
【００３２】
また、この実施例では、摺動片１２ｂが常時垂直片５ｂに圧接しているので、配線ダクト７は安定的に支持される。
【００３３】
次に、本発明の第２実施例を、図５及び図６を参照して説明する。
【００３４】
この実施例においては、Ｕ字状とした配線ダクト１７の左右の端部（右端側は図示略）に、板厚方向に可撓性を有するとともに、両面に幅方向を向く半円形断面の係止突条１８ａを等間隔おきに複数設けた帯状の吊支板１８の下端をビス止めしてある。
【００３５】
一方、天板４の直下の脚板２における上端部内面には、図６に示すように、下端部に上下方向に弾性変形可能な係止片１９ａを有するとともに、内部に上記吊支板１８の一部が出没可能な空間部を有するダクト支持部材１９が固着されている。
【００３６】
上記係止片１９ａの上端の折曲端と、ダクト支持部材１９の内方の下向き折曲部１９ｂとの間には、上記係止突条１８ａの両面間の寸法よりも幅の小さい開口部が形成され、吊支板１８を開口部より強く押し込んだり、押し込まれた吊支板１８を引いたりすると、係止片１９ａが矢印のように弾性変形して開口部が開き、係止突条１８ａの通過を許容する。
【００３７】
従って、配線ダクト１７は、係止突条１８ａが開口部に引っ掛かることにより係止保持され、また上下方向の位置は、係止突条１８ａの数だけ段階的に調節することができる。
【００３８】
この第２実施例においても、配線ダクト１７を上下に移動させて、余長コード類の配線や収納作業を容易に行うことができる。
【００３９】
本発明は、上記実施例に限定されるものではなく、種々の実施形態をとり得る。
【００４０】
第１実施例において、移動ブラケット８、１２の形状又は配線ダクト７に対する取付位置を変更すれば、ダクト支持体５を幕板３の前面に前向きとして取付けることもできる。
【００４１】
第１、第２実施例において、上下位置調整手段としてのダクト支持体５、移動ブラケット８、１２、吊支板１８及びダクト支持部材１９を、配線ダクト７、１７の左右端に設けてあるが、それらをダクトの左右のいずれか一方のみとし、他方には、ダクト７、１７の端部を上下方向にがたなく案内するガイド部材を設けてもよい。
【００４２】
第２実施例において、吊支板１８を垂直方向にのみ移動させるようにすれば、必ずしも可撓性を有する必要はない。この際、吊支板１８が出没する開口部は下向きとすればよい。
【００４３】
【発明の効果】
本発明によれば、次のような効果が得られる。
【００４４】
（ａ）請求項１に記載の発明によれば、配線ダクトを、上下位置調整手段により水平状態で上下動させうるので、余長コード類の配線や収納作業等を容易に行うことができる。
また、不用意に配線ダクトを下げても、収容されたコード類が落下する恐れはない。
【００４５】
（ｂ）請求項２に記載の発明によれば、配線ダクトを所定の高さに安定的に保持することができる。
【００４６】
（ｃ）請求項３に記載の発明によれば、配線ダクトを手で上下方向に押動するだけで、その高さを容易に調整することができる。
【００４７】
（ｄ）請求項４に記載の発明によれば、移動体は、ダクト支持体にガイドされて安定的に上下動することができる。
【００４８】
（ｅ）請求項５に記載の発明によれば、上記（ｃ）と同様、配線ダクトの高さ調整が容易であるとともに、突部と反対側の端面がダクト支持体の内面側に常に圧接することにより、配線ダクトはがたなく安定的に保持される。
【００４９】
（ｆ）請求項６に記載の発明によれば、吊支板を上下方向に押動するだけで、配線ダクトの高さを容易に調整することができる。
【００５０】
【図面の簡単な説明】
【図１】本発明の第１実施例を適用した机における中央縦断左側面図である。
【図２】同じく、ダクト支持体と移動体との拡大分解斜視図である。
【図３】同じく、ダクト支持体と移動体との係合部の拡大縦断側面図である。
【図４】移動体の変形例を示す拡大縦断側面図である。
【図５】本発明の第２実施例を示す要部の斜視図である。
【図６】同じく、机に取付けた状態の要部の縦断正面図である。
【符号の説明】
１          ベース脚
２          脚板
３          幕板
４          天板
５          ダクト支持体
５ａ、５ｂ  垂直片
６          係止凹溝
７          配線ダクト
７ａ        垂直基片
７ｂ        厚肉部
８          移動ブラケット（移動体）
８ａ        取付片
８ｂ        後面板
８ｃ、８ｄ  摺動片
９          ビス
１０          係止突部
１１          板ばね
１２          移動ブラケット
１２ａ        後面板
１２ｂ        摺動片
１３          可動突子
１４          係止突部
１５          ピン
１５ａ        鍔部
１６          圧縮コイルばね（付勢手段）
１７          配線ダクト
１８          吊支板
１８ａ        係止突条
１９          ダクト支持部材
１９ａ        係止片（係止手段）
【図１】
0004313455.tif 000002
【図２】
0004313455.tif 000003
【図３】
0004313455.tif 000004
【図４】
0004313455.tif 000005
【図５】
0004313455.tif 000006
【図６】
0004313455.tif 000007